(57)【特許請求の範囲】
【請求項１】
中継装置に接続され、ネットワークを介してセンタ装置に対して予め定められたデータを送信することにより、前記センタ装置において通信路の断線を予め検知することができるようにした通信装置を中継するＳＩＰサーバであって、
前記通信装置と当該通信装置が接続されている前記中継装置とを特定する経路情報を記憶する記憶部と、
前記通信装置より、前記予め定められたデータが予め定められた期間受信しない場合に、断線したことを特定する情報を、前記センタ装置に送信する第１の処理と、
前記通信装置より、前記ネットワークでの通信路が切断されることを示す情報を、前記通信路が切断される前に受信する第２の処理と、
前記通信装置より、前記ネットワークでの通信路が切断されることを示す情報を受信すると、前記経路情報を参照して、前記ネットワークでの通信路が切断されることを示す情報を送信した前記通信装置が接続されている前記中継装置を特定する第３の処理と、
前記経路情報を参照して、特定した前記中継装置に接続されている他の前記通信装置を特定する第４の処理と、
前記ネットワークでの通信路が切断されることを示す情報を送信してきた通信装置より、前記予め定められたデータを、前記予め定められた期間受信しない場合であっても、前記断線したことを特定する情報を、前記センタ装置に送信しないようにする第５の処理と、
前記ネットワークでの通信路が切断されることを示す情報を送信してきた通信装置より、前記予め定められたデータを、前記予め定められた期間受信しない場合であっても、前記第４の処理にて特定した他の前記通信装置の通信路が断線したことを特定する情報を、前記センタ装置に送信しないようにする第６の処理と、を行う制御部を備えること、
を特徴とするＳＩＰサーバ。
【請求項２】
請求項１に記載のＳＩＰサーバであって、
前記記憶部は、
前記ネットワークでの通信路が切断されることを示す情報を送信してきた通信装置を特定する情報を保守情報としてさらに記憶し、
前記制御部は、
前記予め定められたデータを、前記予め定められた期間受信しない通信装置を特定する情報が前記保守情報に含まれている場合には、前記断線したことを特定する情報を、前記センタ装置に送信しないこと、
を特徴とするＳＩＰサーバ。
【請求項３】
ネットワークを介して中継装置に接続された通信装置から予め定められたデータを受信することにより、通信路の断線を予め検知することができるようにしたセンタ装置であって、
前記通信装置と当該通信装置が接続されている前記中継装置とを特定する経路情報を記憶する記憶部と、
前記通信装置より、前記予め定められたデータが予め定められた期間受信しない場合に、断線したことを特定する情報を出力部に出力する第１の処理と、
前記通信装置より、前記ネットワークでの通信路が切断されることを示す情報を、前記通信路が切断される前に受信する第２の処理と、
前記通信装置より、前記ネットワークでの通信路が切断されることを示す情報を受信すると、前記経路情報を参照して、前記ネットワークでの通信路が切断されることを示す情報を送信した前記通信装置が接続されている前記中継装置を特定する第３の処理と、
前記経路情報を参照して、特定した前記中継装置に接続されている他の前記通信装置を特定する第４の処理と、
前記ネットワークでの通信路が切断されることを示す情報を送信してきた通信装置より、前記予め定められたデータを、前記予め定められた期間受信しない場合であっても、前記断線したことを特定する情報を前記出力部に出力しないようにする第５の処理と、
前記ネットワークでの通信路が切断されることを示す情報を送信してきた通信装置より、前記予め定められたデータを、前記予め定められた期間受信しない場合であっても、前記第４の処理にて特定した他の前記通信装置の通信路が断線したことを特定する情報を、前記出力部に送信しないようにする第６の処理と、を行う制御部を備えること、
を特徴とするセンタ装置。
【請求項４】
請求項３に記載のセンタ装置であって、
前記記憶部は、
前記ネットワークでの通信路が切断されることを示す情報を送信してきた通信装置を特定する情報を保守情報としてさらに記憶し、
前記制御部は、
前記予め定められたデータを、前記予め定められた期間受信しない通信装置を特定する情報が前記保守情報に含まれている場合には、前記断線したことを特定する情報を前記出力部に出力しないこと、
を特徴とするセンタ装置。
【請求項５】
ネットワークに接続されたセンタ装置と、当該センタ装置に対して予め定められたデータを送信することにより、前記センタ装置において通信路の断線を予め検知することができるようにした通信装置と、当該センタ装置と前記通信装置との間の呼制御を行うＳＩＰサーバと、前記ネットワークを介して前記通信装置と前記ＳＩＰサーバと接続された中継装置と、を備える通信システムであって、
前記通信装置は、前記ネットワークでの通信路が切断されることを示す情報を、前記通信路が切断される前に前記ＳＩＰサーバに送信する制御部、を備え、
前記ＳＩＰサーバは、
前記通信装置と当該通信装置が接続されている前記中継装置とを特定する経路情報を記憶する記憶部と、
前記通信装置より、前記予め定められたデータが予め定められた期間受信しない場合に、断線したことを特定する情報を、前記センタ装置に送信する第１の処理と、
前記通信装置より、前記ネットワークでの通信路が切断されることを示す情報を、前記通信路が切断される前に受信する第２の処理と、
前記通信装置より、前記ネットワークでの通信路が切断されることを示す情報を受信すると、前記経路情報を参照して、前記ネットワークでの通信路が切断されることを示す情報を送信した前記通信装置が接続されている前記中継装置を特定する第３の処理と、
前記経路情報を参照して、特定した前記中継装置に接続されている他の前記通信装置を特定する第４の処理と、
前記ネットワークでの通信路が切断されることを示す情報を送信してきた通信装置より、前記予め定められたデータを、前記予め定められた期間受信しない場合であっても、前記断線したことを特定する情報を、前記センタ装置に送信しないようにする第５の処理と、
前記ネットワークでの通信路が切断されることを示す情報を送信してきた通信装置より、前記予め定められたデータを、前記予め定められた期間受信しない場合であっても、前記第４の処理にて特定した他の前記通信装置の通信路が断線したことを特定する情報を、前記センタ装置に送信しないようにする第６の処理と、を行う制御部と、を備えること、
を特徴とする通信システム。
【発明の詳細な説明】
【技術分野】
【０００１】
本発明は、ネットワークを介してセンタ装置に対して予め定められたデータを送信することにより、このセンタ装置において通信路の断線を検知することができるようにする技術に関する。
【背景技術】
【０００２】
従来より、通信路の断線の有無を検知するため、通信を行う装置間で特定のパケットの送受信を行い、このようなパケットを受信することができない場合に、通信路が断線しているものと判断する技術がある（例えば、特許文献１参照）。
【０００３】
【特許文献１】特開２００１−２３０８２３号公報
【発明の開示】
【発明が解決しようとする課題】
【０００４】
特許文献１に記載のように、特定のパケットの受信の有無により、断線の有無を判断する技術を用いる場合、通信路上に配置されているルータ等の中継装置を保守、交換等する場合のように、意図的に通信路を遮断するような場合でも、断線を検知してしまい、特に、大規模なネットワークを形成している場合には、意図的な断線なのか否かを判断するのが困難であった。
【０００５】
特に、警備システムのような場合は、上記のように中継装置の交換等で、各拠点の通信装置との疎通未確認でのアラームが発生し、中継装置の交換等でのアラームなのか、通信装置故障でのアラームなのかの判別ができず、無駄な労力を発生させる原因にもなっていた。
【０００６】
そこで、本発明は、意図的な断線（中継装置の交換及び電源ＯＦＦ、自装置（通信装置）の交換及び電源断等）の場合には、断線の検知を行わないようにする技術を提供することを目的とする。
【課題を解決するための手段】
【０００７】
以上の課題を解決するため、本発明は、通信路の断線を検知する装置に、ネットワークでの通信路が切断されることを示す情報を、通信路が切断される前に送信しておく。
【０００８】
例えば、本発明は、中継装置に接続され、ネットワークを介してセンタ装置に対して予め定められたデータを送信することにより、前記センタ装置において通信路の断線を予め検知することができるようにした通信装置を中継するＳＩＰサーバであって、前記通信装置と当該通信装置が接続されている前記中継装置とを特定する経路情報を記憶する記憶部と、前記通信装置より、前記予め定められたデータが予め定められた期間受信しない場合に、断線したことを特定する情報を、前記センタ装置に送信する第１の処理と、前記通信装置より、前記ネットワークでの通信路が切断されることを示す情報を、前記通信路が切断される前に受信する第２の処理と、前記通信装置より、前記ネットワークでの通信路が切断されることを示す情報を受信すると、前記経路情報を参照して、前記ネットワークでの通信路が切断されることを示す情報を送信した前記通信装置が接続されている前記中継装置を特定する第３の処理と、前記経路情報を参照して、特定した前記中継装置に接続されている他の前記通信装置を特定する第４の処理と、前記ネットワークでの通信路が切断されることを示す情報を送信してきた通信装置より、前記予め定められたデータを、前記予め定められた期間受信しない場合であっても、前記断線したことを特定する情報を、前記センタ装置に送信しないようにする第５の処理と、前記ネットワークでの通信路が切断されることを示す情報を送信してきた通信装置より、前記予め定められたデータを、前記予め定められた期間受信しない場合であっても、前記第４の処理にて特定した他の前記通信装置の通信路が断線したことを特定する情報を、前記センタ装置に送信しないようにする第６の処理と、を行う制御部を備えること、を特徴とする。
【発明の効果】
【０００９】
以上のように、本発明によれば、監視状況下で、意図的に監視不要な状態を発生させ、監視側での無駄な監視を減らす技術を提供することができる。
【００１０】
これにより、監視状況下において、中継装置の交換及び電源ＯＦＦや、自装置（通信装置）の交換及び電源断等を行う場合、通信装置からの操作で簡単に監視を無効化でき、効率のよい監視システムを構築できるようになる。
【発明を実施するための最良の形態】
【００１１】
図１は、本発明の第一の実施形態である通信システム１００の概略図である。
【００１２】
通信システム１００は、通信装置１１０と、ＳＩＰ（Session Initiation Protocol）サーバ１４０と、センタ装置１６０と、を備え、ＳＩＰサーバ１４０及びセンタ装置１６０は、ＬＡＮ（Local Area Network）１９０に接続されており、第一のルータ１８１を介してＷＡＮ（Wide Area Network）１９１に接続することができるようにされている。また、通信装置１１０は、第二のルータ１８２を介して、ＷＡＮ１９１に接続することができるようにされている。
【００１３】
ここで、ＳＩＰサーバ１４０は、センタ装置１６０と通信装置１１０間の呼制御を行い、これらの間で相互に情報を送受信することができるようにしている。なお、ＳＩＰサーバは、ＷＡＮ１９１上に配置されてもよい。
【００１４】
また、通信装置１１０は、ボタン１３０と、電話機１３１と、カメラ１３２と、センサ１３３と、を備える。
【００１５】
図２は、通信装置１１０の概略図である。
【００１６】
通信装置１１０は、制御部１１１と、記憶部１２１と、第一のＩＦ部１２２と、第二のＩＦ部１２３と、第三のＩＦ部１２４と、第四のＩＦ部１２５と、第五のＩＦ部１２６と、を備える。
【００１７】
制御部１１１は、全体制御部１１２と、通信制御部１１３と、ＳＩＰ処理部１１４と、保守制御部１１５と、ボタン制御部１１６と、画像制御部１１７と、音声制御部１１８と、センサ制御部１１９と、を備える。
【００１８】
全体制御部１１２は、通信装置１１０での処理の全体を制御する。
【００１９】
通信制御部１１３は、第一のＩＦ部１２２を介した情報の送受信を制御する。特に、本実施形態においては、第二のＩＦ部１２３〜第五のＩＦ部１２６を介して入力される情報を、予め定められた形式のデータにして第一のＩＦ部１２２を介して、センタ装置１６０に送信する処理を行う。
【００２０】
ＳＩＰ処理部１１４は、ＳＩＰに従ったメッセージの生成及び解析を行う。特に、本実施形態においては、後述するボタン制御部１１６より、ボタンの押圧を検知したことの通知を受け取ると、事前通知であることを識別する識別情報を有するＩＮＶＩＴＥメッセージを生成し、通信制御部１１３に出力する。
【００２１】
保守制御部１１５は、通信装置１１０における保守制御に関する設定処理を行う。例えば、本実施形態においては、センタ装置１６０が識別可能な事前通知の識別情報の設定と、事前通知の送信間隔や事前通知のリトライ回数等の設定と、を行う。なお、これらの設定は、第一のＩＦ部１２２を介してＷＡＮ１９１側から入力を受け付けてもよく、また、第二のＩＦ部１２３を介してボタン１３０から入力を受け付けてもよく、さらに、図示しない入力部を介して入力を受け付けてもよい。
【００２２】
ボタン制御部１１６は、ボタン１３０の押圧を検知すると、ボタン１３０が押圧されたことをＳＩＰ処理部１１４に通知する処理等を行う。
【００２３】
画像制御部１１７は、第三のＩＦ部１２４から得られる画像データを処理する。例えば、本実施形態においては、カメラ１３２から得られるＮＴＳＣ映像のエンコード処理等を行う。
【００２４】
音声制御部１１８は、第四のＩＦ部１２５から得られる音声データを処理する。例えば、本実施形態においては、電話機１３１との間の呼制御を行うとともに、電話機１３１から得られる音声データを圧縮符号化する処理、ＩＰパケット化してＷＡＮ１９１に送信する処理等を行う。
【００２５】
センサ制御部１１９は、第五のＩＦ部１２６から得られるデータを処理する。例えば、本実施形態においては、センサ１３３から得られるデータを解析し、異常の検知を行い、異常が検知された場合には、検知した異常を特定する情報を通信制御部１１３に出力する処理等を行う。
【００２６】
記憶部１２１は、通信装置１１０での処理に必要な情報を記憶する。
【００２７】
第一のＩＦ部１２２は、第二のルータ１８２を介して、ＷＡＮ１９１との間の情報の送受信を行う。特に、本実施形態においては、センタ装置１６０との間の論理チャネルの接続処理を行う。
【００２８】
また、第一のＩＦ部１２２は、第二のルータ１８２との間のリンク状態の監視を行う。
【００２９】
第二のＩＦ部１２３は、ボタン１３０との間で情報の送受信を行う。特に、本実施形態においては、ボタンの１３０の押圧信号を受信し、ボタン制御部１１６に出力する処理を行う。
【００３０】
なお、ボタン１３０は、通信装置１１０の筐体に取り付けられたものであってもよく、また、有線又は無線を介して通信装置１１０に接続されたものであってもよい。
【００３１】
第三のＩＦ部１２４は、カメラ１３２との間で情報の送受信を行う。特に、本実施形態においては、カメラ１３２で撮像された映像データを画像制御部１１７に出力する処理を行う。
【００３２】
カメラ１３２は、動画像又は静画像を撮像する撮像装置であって、有線又は無線を介して通信装置１１０に接続される。
【００３３】
第四のＩＦ部１２５は、電話機１３１との間で情報の送受信を行う。特に、本実施形態においては、電話機１３１のマイク（図示せず）で取得された音声データを音声制御部１１８に出力する処理を行う。
【００３４】
なお、電話機１３１は、音声を入力するマイクと、音声を出力するスピーカと、を備える装置であって、有線又は無線を介して通信装置１１０に接続される。
【００３５】
第五のＩＦ部１２６は、センサ１３３との間で情報の送受信を行う。特に、本実施形態においては、センサ１３３での検知信号をセンサ制御部１１９に出力する処理を行う。
【００３６】
なお、センサ１３３は、人を検出するパッシブセンサ、熱を関知する感熱センサ、その他のセンサであって、有線又は無線を介して通信装置１１０に接続される。
【００３７】
図３は、ＳＩＰサーバ１４０の概略図である。
【００３８】
ＳＩＰサーバ１４０は、記憶部１４１と、制御部１４５と、ＩＦ部１５０と、を備える。
【００３９】
記憶部１４１は、登録情報記憶領域１４２と、保守情報記憶領域１４３と、を備える。
【００４０】
登録情報記憶領域１４２には、ＳＩＰサーバ１４０でＳＩＰに従った呼制御を行うために必要な情報が格納される。例えば、ＳＩＰサーバ１４０を介して、呼を確立する装置のアドレス情報が格納される。
【００４１】
保守情報記憶領域１４３には、事前通知を送信してきた通信装置１１０を特定する情報が格納される。
【００４２】
例えば、本実施形態においては、図４（保守情報テーブル１４３ａの概略図）に示すような保守情報テーブル１４３ａが保守情報記憶領域１４３に記憶される。
【００４３】
図示するように、保守情報テーブル１４３ａは、端末装置欄１４３ｂを備える。
【００４４】
端末装置欄１４３ｂには、事前通知を送信してきた通信装置１１０を識別するための識別情報（ここでは、通信装置１１０のＩＰアドレス）を特定する情報が格納される。
【００４５】
図３に戻り、制御部１４５は、全体制御部１４６と、ＳＩＰ制御部１４７と、保守制御部１４８と、を備える。
【００４６】
全体制御部１４６は、ＳＩＰサーバ１４０での処理の全体を制御する。
【００４７】
ＳＩＰ制御部１４７は、ＳＩＰに従ったメッセージの生成及び解析を行う。特に、本実施形態においては、通信装置１１０から事前通知であることを識別する識別情報を有するＭＥＳＳＡＧＥメッセージ若しくはＩＮＶＩＴＥメッセージを受信し、保守制御部１４８に当該ＭＥＳＳＡＧＥメッセージ若しくはＩＮＶＩＴＥメッセージを送信してきた通信装置１１０を識別する識別情報（ここでは、通信装置１１０のＩＰアドレス）と、事前通知を受信したことを示す情報と、を保守制御部１４８に出力する。
【００４８】
また、ＳＩＰ制御部１４７は、予め定められた期間、通信装置１１０からのＲＥＧＩＳＴＥＲメッセージ（若しくはＭＥＳＳＡＧＥメッセージ）を受信しなかった場合には、当該通信装置１１０を識別する識別情報（ここでは、通信装置１１０のＩＰアドレス）と、ＲＥＧＩＳＴＥＲメッセージ（若しくはＭＥＳＳＡＧＥメッセージ）を受信しなかったことを示す情報と、を保守制御部１４８に出力する。
【００４９】
さらに、ＳＩＰ制御部１４７は、ＲＥＧＩＳＴＥＲメッセージ（若しくはＭＥＳＳＡＧＥメッセージ）を受信すると、ＲＥＧＩＳＴＥＲメッセージ（若しくはＭＥＳＳＡＧＥメッセージ）を送信してきた通信装置１１０の識別情報と、ＲＥＧＩＳＴＥＲメッセージ（若しくはＭＥＳＳＡＧＥメッセージ）を受信したことを特定する情報と、を保守制御部１４８に通知する。
【００５０】
保守制御部１４８は、通信装置１１０との間の通信を監視する。
【００５１】
例えば、保守制御部１４８は、ＳＩＰ制御部１４７より、通信装置１１０を識別する識別情報と、事前通知を受信したことを示す情報と、の入力を受け付けると、当該通信装置１１０の識別情報が、保守情報テーブル１４３ａに登録されているか否かを特定し、登録されていない場合には、当該識別情報を保守情報テーブル１４３ａに登録し、登録されている場合には、当該識別情報を保守情報テーブル１４３ａから削除する。
【００５２】
また、保守制御部１４８は、ＳＩＰ制御部１４７より、通信装置１１０を識別する識別情報と、ＲＥＧＩＳＴＥＲメッセージ（若しくはＭＥＳＳＡＧＥメッセージ）を受信しなかったことを示す情報と、の入力を受け付けると、当該通信装置１１０の識別情報が、保守情報テーブル１４３ａに登録されているか否かを特定し、登録されていない場合には、当該通信装置１１０を識別するための識別情報と、当該通信装置１１０にエラーが生じたことを示す情報と、を有する通知情報を生成し、ＩＦ部１５０を介して、センタ装置１６０に通知する処理を行い、登録されている場合には、このような通知情報を生成し送信する処理を行わずに、処理を終了する。
【００５３】
さらに、保守制御部１４８は、ＳＩＰ制御部１４７より、ＲＥＧＩＳＴＥＲメッセージ（若しくはＭＥＳＳＡＧＥメッセージ）を送信してきた通信装置１１０の識別情報と、ＲＥＧＩＳＴＥＲメッセージ（若しくはＭＥＳＳＡＧＥメッセージ）を受信したことを特定する情報と、を受信すると、当該通信装置１１０の識別情報が、保守情報テーブル１４３ａに登録されているか否かを特定し、登録されている場合には、当該識別情報を保守情報テーブル１４３ａから削除する。
【００５４】
ＩＦ部１５０は、ＬＡＮ１９０を介した情報の送受信を行う。
【００５５】
以上に記載したＳＩＰサーバ１４０は、例えば、図５（コンピュータ９００の概略図）に示すような、ＣＰＵ（Central Processing Unit）９０１と、メモリ９０２と、ＨＤＤ（Hard Disk Drive）等の外部記憶装置９０３と、ＣＤ−ＲＯＭ（Compact Disk Read Only Memory）やＤＶＤ−ＲＯＭ（Digital Versatile Disk Read Only Memory）等の可搬性を有する記憶媒体９０４から情報を読み出す読取装置９０５と、キーボードやマウスなどの入力装置９０６と、ディスプレイなどの出力装置９０７と、通信ネットワークに接続するためのＮＩＣ（Network Interface Card）等の送受信装置９０８と、を備えた一般的なコンピュータ９００で実現できる。
【００５６】
例えば、記憶部１４１は、ＣＰＵ９０１がメモリ９０２又は外部記憶装置９０３を利用することにより実現可能であり、制御部１４５は、外部記憶装置９０３に記憶されている所定のプログラムをメモリ９０２にロードしてＣＰＵ９０１で実行することで実現可能であり、ＩＦ部１５０は、ＣＰＵ９０１が送受信装置９０８を利用することで実現可能である。
【００５７】
この所定のプログラムは、読取装置９０５を介して記憶媒体９０４から、あるいは、送受信装置９０８を介してネットワークから、外部記憶装置９０３にダウンロードされ、それから、メモリ９０２上にロードされてＣＰＵ９０１により実行されるようにしてもよい。また、読取装置９０５を介して記憶媒体９０４から、あるいは、送受信装置９０８を介してネットワークから、メモリ９０２上に直接ロードされ、ＣＰＵ９０１により実行されるようにしてもよい。
【００５８】
図６は、センタ装置１６０の概略図である。
【００５９】
センタ装置１６０は、記憶部１６１と、制御部１６２と、入力部１６６と、出力部１６７と、ＩＦ部１６８と、を備える。
【００６０】
記憶部１６１には、センタ装置１６０で処理を行う際に必要とされる情報が記憶される。
【００６１】
制御部１６２は、全体制御部１６３と、監視処理部１６４と、ＳＩＰ制御部１６５と、を備える。
【００６２】
全体制御部１６３は、センタ装置１６０での処理の全体を制御する。
【００６３】
監視処理部１６４は、ＳＩＰサーバ１４０から送信されてきた通知情報より、通信装置１１０を識別するための識別情報を取得し、当該識別上により識別される通信装置１１０を特定する情報を有するエラー通知情報を生成し、出力部１６７に出力する処理を行う。
【００６４】
ＳＩＰ制御部１６５は、ＳＩＰに従った処理を行う。
【００６５】
入力部１６６は、情報の入力を受け付ける。
【００６６】
出力部１６７は、情報を出力する。
【００６７】
ＩＦ部１６８は、ＬＡＮ１９０を介した情報の送受信を行う。
【００６８】
以上に記載したセンタ装置１６０は、例えば、図５に示すような一般的なコンピュータ９００で実現できる。
【００６９】
例えば、記憶部１６１は、ＣＰＵ９０１がメモリ９０２又は外部記憶装置９０３を利用することにより実現可能であり、制御部１６２は、外部記憶装置９０３に記憶されている所定のプログラムをメモリ９０２にロードしてＣＰＵ９０１で実行することで実現可能であり、入力部１６６は、ＣＰＵ９０１が入力装置９０６を利用することで実現可能であり、出力部１６７は、ＣＰＵ９０１が出力装置９０７を利用することで実現可能であり、ＩＦ部１５０は、ＣＰＵ９０１が送受信装置９０８を利用することで実現可能である。
【００７０】
この所定のプログラムは、読取装置９０５を介して記憶媒体９０４から、あるいは、送受信装置９０８を介してネットワークから、外部記憶装置９０３にダウンロードされ、それから、メモリ９０２上にロードされてＣＰＵ９０１により実行されるようにしてもよい。また、読取装置９０５を介して記憶媒体９０４から、あるいは、送受信装置９０８を介してネットワークから、メモリ９０２上に直接ロードされ、ＣＰＵ９０１により実行されるようにしてもよい。
【００７１】
図７は、通信システム１００において回線断を検知する処理を示すシーケンス図である。
【００７２】
まず、通信装置１１０のＳＩＰ処理部１１４は、通信装置１１０の位置情報を含むＲＥＧＩＳＴＥＲメッセージを生成し、通信制御部１１３及び第一のＩＦ部１２２を介して、生成したＲＥＧＩＳＴＥＲメッセージをＳＩＰサーバ１４０に送信する（Ｓ１０）。
【００７３】
このようなＲＥＧＩＳＴＥＲメッセージを受信したＳＩＰサーバ１４０では、ＳＩＰ制御部１４７が、ＲＥＧＩＳＴＥＲメッセージから位置情報を抽出し、登録情報記憶領域１４２に記憶するとともに、保守制御部１４８が保守情報テーブル１４３ａの更新処理を行う（Ｓ１１）。
【００７４】
ここで、保守情報テーブル１４３ａの更新処理は、具体的には、まず、ＳＩＰ制御部１４７が、ＲＥＧＩＳＴＥＲメッセージに含まれている送信元である通信装置１１０のアドレス情報を特定して、特定したアドレス情報を保守制御部１４８に通知する。次に、保守制御部１４８が、通知されたＩＰアドレスが保守情報テーブル１４３ａに登録されている場合には、当該ＩＰアドレスを保守情報テーブル１４３ａから削除することにより行う。
【００７５】
なお、本ステップＳ１１では、通知されたＩＰアドレスが保守情報テーブル１４３ａに登録されていないものとして、次に処理を行う。
【００７６】
次に、ＳＩＰ制御部１４７は、ＲＥＧＩＳＴＥＲメッセージの応答メッセージである２００ＯＫメッセージを生成して、ＩＦ部１５０を介して、２００ＯＫメッセージを通信装置１１０に送信する（Ｓ１２）。
【００７７】
そして、通信装置１１０は、定期的、または、異常を検知した時、人を検知した時等の任意の時に、例えば、カメラ１３２で撮像された映像データ、電話機１３１で取得された音声データ、センサ１３３で取得された検知データを送信するために、ＳＩＰ処理部１１４が、センタ装置１６０への接続要求であるＩＮＶＩＴＥメッセージを生成して、通信制御部１１３及び第一のＩＦ部１２２を介して、生成したＩＮＶＩＴＥメッセージをＳＩＰサーバ１４０に送信する（Ｓ１３）。
【００７８】
ＩＮＶＩＴＥメッセージを受信したＳＩＰサーバ１４０は、センタ装置１６０の位置情報を登録情報記憶領域１４２から取得し、取得した位置情報で特定されるアドレス（センタ装置１６０のアドレス）にＩＮＶＩＴＥメッセージを転送する（Ｓ１４）。
【００７９】
そして、ＩＮＶＩＴＥメッセージを受信したセンタ装置１６０では、ＳＩＰ制御部１６５が、１８０ＲＩＮＧＩＮＧの応答メッセージをＳＩＰサーバ１４０に送信し（Ｓ１５）、ＳＩＰサーバ１４０は、通信装置１１０にこの１８０ＲＩＮＧＩＮＧメッセージを転送し呼び出す（Ｓ１６）。
【００８０】
次に、センタ装置１６０のＳＩＰ制御部１６５は、呼び出しに応答すると、２００ＯＫメッセージをＳＩＰサーバ１４０に送信し（Ｓ１７）、ＳＩＰサーバ１４０は、通信装置１１０にこの２００ＯＫメッセージを転送する（Ｓ１８）。
【００８１】
２００ＯＫメッセージを受信した通信装置１１０は、ＳＩＰ処理部１１４が、ＡＣＫメッセージを生成し、通信制御部１１３及び第一のＩＦ部１２２を介して、生成したＡＣＫメッセージをＳＩＰサーバ１４０に送信する（Ｓ１９）。
【００８２】
このようなＡＣＫメッセージを受信したＳＩＰサーバ１４０は、ＳＩＰ制御部１４７が、ＩＦ部１５０を介して、ＡＣＫメッセージをセンタ装置１６０に送信することで（Ｓ２０）、通信装置１１０と、センタ装置１６０と、の間にセッションが確立する。
【００８３】
そして、通信装置１１０は、確立したセッションを用いて、センタ装置１６０にデータを通信する（Ｓ２１）。
【００８４】
このようなデータを受信したセンタ装置１６０では、全体制御部１６３が出力部１６７に受信したデータを出力する（Ｓ２２）。
【００８５】
そして、通信装置１１０は、定期的に、ＲＥＧＩＳＴＥＲメッセージ（若しくはＭＥＳＳＡＧＥメッセージ）をＳＩＰサーバ１４０に送信し（Ｓ２３）、このようなＲＥＧＩＳＴＥＲメッセージを受信したＳＩＰサーバ１４０では、保守制御部１４８が保守情報テーブル１４３ａの更新を行い（Ｓ２４）、ＳＩＰ制御部１４７が、応答メッセージである２００ＯＫメッセージを生成して、ＩＦ部１５０を介して、２００ＯＫメッセージを通信装置１１０に送信する（Ｓ２５）。
【００８６】
このとき、例えば、第二のルータ１８２が故障して回線が切断された場合には（Ｓ２６）、通信装置１１０が、定期的にＲＥＧＩＳＴＥＲメッセージをＳＩＰサーバ１４０に送信しても（Ｓ２７）、ＳＩＰサーバ１４０には、到達しない。
【００８７】
そして、ＳＩＰサーバ１４０のＳＩＰ制御部１４７では、予め定められた期間、通信装置１１０からのＲＥＧＩＳＴＥＲメッセージを受信しなかった場合には、回線断と判断して（Ｓ２８）、ＲＥＧＩＳＴＥＲメッセージを受信しなかった通信装置１１０を識別する識別情報と、ＲＥＧＩＳＴＥＲメッセージを受信しなかったことを示す情報と、を保守制御部１４８に出力する。
【００８８】
これらの情報の入力を受け付けた保守制御部１４８は、この通信装置１１０の識別情報が、保守情報テーブル１４３ａに登録されているか否かを特定し、登録されていない場合には、当該通信装置１１０を識別するための識別情報と、当該通信装置１１０にエラーが生じたことを示す情報と、を有する通知情報を生成し、ＩＦ部１５０を介して、センタ装置１６０に送信する（Ｓ２９）。
【００８９】
そして、センタ装置１６０では、監視処理部１６４が、このような通知情報を特定の表示形式にして出力部１６７に出力する（Ｓ３０）。
【００９０】
図８は、通信システム１００において回線断の検知を回避する処理を示すシーケンス図である。このシーケンスでは、第二のルータ１８２の保守のために、第二のルータ１８２の電源をＯＦＦにする場合を例に説明するが、このような態様に限定されるわけではなく、通信装置１１０とＷＡＮ１９１間に物理的又は論理的に配置される装置（リピータ、ブリッジ、レイヤ２スイッチ、レイヤ３スイッチ、ゲートウェイ等）を交換する場合や、収容する装置の接続変えを行う場合や、電源をＯＦＦする場合などでもよい。
【００９１】
まず、通信装置１１０のボタン制御部１１６が、ボタン１３０の押圧を検知すると（Ｓ４０）、ＳＩＰ処理部１１４は、事前通知であることを識別することのできるメッセージ、例えば、本実施形態においては、図９（事前通知を示すＩＮＶＩＴＥメッセージ１９３の概略図）に示すようなＩＮＶＩＴＥメッセージ１９３（若しくは図１０に示すＭＥＳＳＡＧＥメッセージ１９４）を生成して、ＳＩＰサーバ１４０に送信する（Ｓ４１）。
【００９２】
ここで、図９に示すように、事前通知を示すＩＮＶＩＴＥメッセージ１９３は、「ｈ＝」の行（任意の行）が設けられており、この行に「Ｎｏｔｉｆｉｃａｔｉｏｎ  ｏｆ  ａｕｄｉｔ！」のテキストデータが記述されている場合には、事前通知であることを示している。
【００９３】
このようなＩＮＶＩＴＥメッセージ１９３を受信したＳＩＰサーバ１４０では、ＳＩＰ制御部１４７が、ＩＮＶＩＴＥメッセージ１９３に「ｈ＝」の行が設けられており、この行に「Ｎｏｔｉｆｉｃａｔｉｏｎ  ｏｆ  ａｕｄｉｔ！」のテキストデータが記述されているか否かを確認し（Ｓ４２）、このようなテキストデータが記述されている場合には、保守情報テーブル１４３ａを更新する（Ｓ４３）。
【００９４】
ここで、保守情報テーブル１４３ａの更新は、ＩＮＶＩＴＥメッセージ１９３に格納されている通信装置１１０のＳＩＰＵＲＩから、登録情報記憶領域１４２に格納されている当該通信装置１１０のＩＰアドレスを特定して、当該ＩＰアドレスが保守情報テーブル１４３ａに登録されていない場合には、当該ＩＰアドレスを保守情報テーブル１４３ａに登録し、登録されている場合には、当該ＩＰアドレスを保守情報テーブル１４３ａから削除することで行う。今回の場合は、通信装置１１０とＳＩＰサーバ１４０間での回線の断線監視にかかる説明であるので、事前通知を受信したＳＩＰサ−バ１４０は、通信装置１１０との間の回線断の監視を行わない動作状態となる。
【００９５】
そして、ＳＩＰ制御部１４７は、応答メッセージである２００ＯＫメッセージを生成して、ＩＦ部１５０を介して、２００ＯＫメッセージを通信装置１１０に送信する（Ｓ４４）。
【００９６】
このような事前通知を行った後で、通信システム１００の管理者等が、第二のルータ１８２の保守のために、第二のルータ１８２の電源をＯＦＦすると（Ｓ４５）、通信装置１１０が、定期的にＲＥＧＩＳＴＥＲメッセージをＳＩＰサーバ１４０に送信しても（Ｓ４６、Ｓ４７）、このようなＲＥＧＩＳＴＥＲメッセージがＳＩＰサーバ１４０に到達しない。
【００９７】
このような場合において、ＳＩＰサーバ１４０のＳＩＰ制御部１４７が、予め定められた期間、通信装置１１０からのＲＥＧＩＳＴＥＲメッセージを受信しなかったときには、回線断と判断して（Ｓ４８）、ＲＥＧＩＳＴＥＲメッセージを受信しなかった通信装置１１０を識別する識別情報と、ＲＥＧＩＳＴＥＲメッセージを受信しなかったことを示す情報と、を保守制御部１４８に出力する。
【００９８】
これらの情報の入力を受け付けた保守制御部１４８は、この通信装置１１０の識別情報が、保守情報テーブル１４３ａに登録されているか否かを特定し、登録されている場合には、図７のステップＳ２９に示すような通知情報を生成せずに処理を終了する（Ｓ４９）。
【００９９】
そして、第二のルータ１８２の保守が完了し、電源がＯＮにされた場合には（Ｓ５０）、通信装置１１０からのＲＥＧＩＳＴＥＲメッセージがＳＩＰサーバ１４０に到達し（Ｓ５１）、ＳＩＰサーバ１４０のＳＩＰ制御部１４７が、ＲＥＧＩＳＴＥＲメッセージに含まれている送信元である通信装置１１０のアドレス情報を特定して、特定したアドレス情報を保守制御部１４８に通知し、保守制御部１４８が、保守情報テーブル１４３ａの更新を行う（Ｓ５２）。
【０１００】
具体的には、ＳＩＰ制御部１４７は、ＲＥＧＩＳＴＥＲメッセージに格納されている通信装置１１０のＳＩＰＵＲＩから、登録情報記憶領域１４２に格納されている当該通信装置１１０のＩＰアドレスを特定して、特定したＩＰアドレスを保守制御部１４８に通知する。そして、保守制御部１４８は、通知されたＩＰアドレスが保守情報テーブル１４３ａに登録されている場合には、当該ＩＰアドレスを保守情報テーブル１４３ａから削除することで保守情報テーブル１４３ａの更新を行う。今回の場合は、通信装置１１０とＳＩＰサーバ１４０間での回線の断線監視にかかる説明であるので、ＲＥＧＩＳＴＥＲメッセージＳ５１を受信したＳＩＰサ−バ１４０は、通信装置１１０との間の回線断の監視を再開するようになる。
【０１０１】
また、このようなＲＥＧＩＳＴＥＲメッセージを受信したＳＩＰサーバ１４０では、ＳＩＰ制御部１４７が、ＲＥＧＩＳＴＥＲメッセージから位置情報を抽出し、登録情報記憶領域１４２に記憶するとともに、応答メッセージである２００ＯＫメッセージを生成して、ＩＦ部１５０を介して、２００ＯＫメッセージを通信装置１１０に送信する（Ｓ５３）。
【０１０２】
以上のように、本実施形態によれば、ネットワークを意図的に切断する場合に、回線断の警告が出ないようにすることができる。
【０１０３】
なお、以上に記載した実施形態においては、例えば、図８のステップＳ４１における事前通知を、ＩＮＶＩＴＥメッセージ１９３を用いて通知しているが、このような態様に限定されず、他のメッセージを使用して通知することも可能である。例えば、図１０（事前通知を示すＭＥＳＳＡＧＥメッセージ１９４の概略図）に示すＭＥＳＳＡＧＥメッセージ１９４を使用して、事前通知を行うことも可能である。
【０１０４】
ここで、図１０に示すように事前通知を示すＭＥＳＳＡＧＥメッセージ１９４は、「Ｎｏｔｉｆｉｃａｔｉｏｎ  ｏｆ  ａｕｄｉｔ！」のテキストデータを記述する行１９４ａが設けられており、このような行が設けられているか否かにより、ＳＩＰサーバ１４０のＳＩＰ制御部１４７は、事前通知であることを識別することができる。
【０１０５】
以上に記載した実施形態においては、ＳＩＰサーバ１４０の保守情報記憶領域１４３に記憶されている保守情報テーブル１４３ａに通信装置１１０のＩＰアドレスを格納しているが、このような態様に限定されず、例えば、通信装置１１０のＳＩＰＵＲＩを格納するようにしてもよい。
【０１０６】
また、以上に記載した実施形態においては、ＳＩＰサーバ１４０において、ＲＥＧＩＳＴＥＲメッセージ（若しくはＭＥＳＳＡＧＥメッセージ）が受信される度に、保守情報テーブル１４３ａを確認して、ＲＥＧＩＳＴＥＲメッセージを送信してきた通信装置１１０のＩＰアドレスがあるか否かを確認して、通知情報の送信を再開するか否かを判断するようにしているが、このような態様に限定されず、例えば、図１１に示すシーケンスのように、通信装置１１０からの二度目の事前通知の有無により、通知情報の送信を再開するか否かを判断するようにしてもよい。
【０１０７】
図１１は、通信システム１００において回線断の検知を回避する処理を示すシーケンス図である。このシーケンスでは、第二のルータ１８２の保守のために、第二のルータ１８２の電源をＯＦＦにする場合を例に説明するが、このような態様に限定されるわけではない。
【０１０８】
まず、通信装置１１０のボタン制御部１１６が、ボタン１３０の押圧を検知すると（Ｓ６０）、ＳＩＰ処理部１１４は、事前通知であることを識別することのできるメッセージ、例えば、本実施形態においては、図９に示すようなＩＮＶＩＴＥメッセージ１９３（若しくは図１０に示すＭＥＳＳＡＧＥメッセージ１９４）を生成して、ＳＩＰサーバ１４０に送信する（Ｓ６１）。
【０１０９】
このようなＩＮＶＩＴＥメッセージ１９３を受信したＳＩＰサーバ１４０では、ＳＩＰ制御部１４７が、ＩＮＶＩＴＥメッセージ１９３に「ｈ＝」の行が設けられており、この行に「Ｎｏｔｉｆｉｃａｔｉｏｎ  ｏｆ  ａｕｄｉｔ！」のテキストデータが記述されているか否かを確認し（Ｓ６２）、このようなテキストデータが記述されている場合には、保守情報テーブル１４３ａを更新する（Ｓ６３）。
【０１１０】
ここで、保守情報テーブル１４３ａの更新は、ＩＮＶＩＴＥメッセージ１９３に格納されている通信装置１１０のＳＩＰＵＲＩから、登録情報記憶領域１４２に格納されている当該通信装置１１０のＩＰアドレスを特定して、当該ＩＰアドレスが保守情報テーブル１４３ａに登録されていない場合には、当該ＩＰアドレスを保守情報テーブル１４３ａに登録し、登録されている場合には、当該ＩＰアドレスを保守情報テーブル１４３ａから削除することで行う。
【０１１１】
そして、ＳＩＰ制御部１４７は、応答メッセージである２００ＯＫメッセージを生成して、ＩＦ部１５０を介して、２００ＯＫメッセージを通信装置１１０に送信する（Ｓ６４）。
【０１１２】
このような事前通知を行うことで、通信装置１１０のＳＩＰ処理部１１４は、ＲＥＧＩＳＴＥＲメッセージ（若しくはＭＥＳＳＡＧＥメッセージ）の送信を停止する（Ｓ６５）。
【０１１３】
また、このような事前通知を行った後で、通信システム１００の管理者等は、第二のルータ１８２の保守のために、第二のルータ１８２の電源をＯＦＦする（Ｓ６６）。
【０１１４】
このような状況において、ＳＩＰサーバ１４０のＳＩＰ制御部１４７が、予め定められた期間、通信装置１１０からのＲＥＧＩＳＴＥＲメッセージ（若しくはＭＥＳＳＡＧＥメッセージ）を受信しなかったときには、回線断と判断して（Ｓ６７）、ＲＥＧＩＳＴＥＲメッセージを受信しなかった通信装置１１０を識別する識別情報と、ＲＥＧＩＳＴＥＲメッセージ（若しくはＭＥＳＳＡＧＥメッセージ）を受信しなかったことを示す情報と、を保守制御部１４８に出力する。
【０１１５】
これらの情報の入力を受け付けた保守制御部１４８は、この通信装置１１０の識別情報が、保守情報テーブル１４３ａに登録されているか否かを特定し、登録されている場合には、図７のステップＳ２９に示すような通知情報を生成せずに処理を終了する（Ｓ６８）。
【０１１６】
そして、第二のルータ１８２の保守が完了し、電源がＯＮにされた場合には（Ｓ６９）、通信システム１００の管理者等は、ボタン１３０を押圧する。
【０１１７】
通信装置１１０のボタン制御部１１６が、ボタン１３０の押圧を検知すると（Ｓ７０）、ＳＩＰ処理部１１４は、事前通知であることを識別することのできるメッセージ、例えば、本実施形態においては、図９に示すようなＩＮＶＩＴＥメッセージ１９３（若しくは図１０に示すＭＥＳＳＡＧＥメッセージ１９４）を生成して、ＳＩＰサーバ１４０に送信する（Ｓ７１）。
【０１１８】
このようなＩＮＶＩＴＥメッセージ１９３を受信したＳＩＰサーバ１４０では、ＳＩＰ制御部１４７が、ＩＮＶＩＴＥメッセージ１９３に「ｈ＝」の行が設けられており、この行に「Ｎｏｔｉｆｉｃａｔｉｏｎ  ｏｆ  ａｕｄｉｔ！」のテキストデータが記述されているか否かを確認し（Ｓ７２）、このようなテキストデータが記述されている場合には、保守情報テーブル１４３ａを更新する（Ｓ７３）。ここでは、二度目の事前通知であるので、通信装置１１０のＩＰアドレスを保守情報テーブル１４３ａから削除する。
【０１１９】
そして、通信装置１１０のＳＩＰ処理部１１４は、通信装置１１０の位置情報を含むＲＥＧＩＳＴＥＲメッセージ（若しくはＭＥＳＳＡＧＥメッセージ）の生成を再開し、通信制御部１１３及び第一のＩＦ部１２２を介して、生成したＲＥＧＩＳＴＥＲメッセージをＳＩＰサーバ１４０に送信する（Ｓ７５）。
【０１２０】
このようなＲＥＧＩＳＴＥＲメッセージを受信したＳＩＰサーバ１４０では、ＳＩＰ制御部１４７が、ＲＥＧＩＳＴＥＲメッセージから位置情報を抽出し、登録情報記憶領域１４２に記憶するとともに、応答メッセージである２００ＯＫメッセージを生成して、ＩＦ部１５０を介して、２００ＯＫメッセージを通信装置１１０に送信する（Ｓ７６）。
【０１２１】
以上のように、ボタン１３０の押圧により、ＲＥＧＩＳＴＥＲメッセージ（若しくはＭＥＳＳＡＧＥメッセージ）の送信を再開するようにすることで、回線断時に無駄なメッセージの送信を回避し、無駄にトラヒックの資源を浪費するのを防止することができる。
【０１２２】
また、図１１に記載のシーケンスでは、ボタン１３０の押圧により、回線断からの復帰を確認するようにしているが、このような態様に限定されず、例えば、電源を切断等するルータと、通信装置１１０と、が直接接続されている場合には、通信装置１１０においてルータのＬＡＮインタフェースポートのリンク状態を監視し、リンクダウンからリンクアップになったときに、事前通知を示すＩＮＶＩＴＥメッセージ１９３を送信するようにしてもよい。
【０１２３】
さらに、ＳＩＰサーバ１４０において、通信装置１１０毎に、通信装置１１０と、当該通信装置１１０が接続されているルータと、を特定する経路情報を記憶しておくことで、一の通信装置１１０から事前通知が通知された際に、当該一の通信装置１１０と同じルータに接続されている他の通信装置１１０を識別する情報を保守情報テーブル１４３ａに格納しておくことで、保守を行うルータに接続されている一の通信装置１１０からの事前通知により、当該ルータに接続されている他の通信装置１１０についても回線断の通知を行わないようにすることができる。このような場合には、一の通信装置１１０において回線断からの復帰が検出された場合に、当該一の通信装置１１０に接続されているルータに接続されている他の通信装置１１０についても回線断からの回復を検知して、保守情報テーブル１４３ａを更新する。
【０１２４】
さらに、本実施形態においては、ＳＩＰサーバ１４０において保守情報テーブル１４３ａを記憶しておき、ＳＩＰサーバ１４０において、回線断の通知をセンタ装置１６０に送信しないようにしているが、このような態様に限定されず、例えば、保守情報テーブル１４３ａと同様なテーブルをセンタ装置１６０に記憶しておき、保守情報テーブル１４３ａに格納されている通信装置１１０の通知情報に対応するエラー情報は、監視処理部１６４が、出力部１６７に出力しないようにすることも可能である。
【０１２５】
また、本願発明において、疎通確認をＲＥＧＩＳＴＥＲメッセージ（若しくはＭＥＳＳＡＧＥメッセージ）、事前通知をＩＮＶＩＴＥメッセージ（若しくはＭＥＳＳＡＧＥメッセージ）で行っているが、通信装置１１０とＳＩＰサーバ１４０（若しくはセンタ装置１６０）間で識別できる独自メッセージを使用しても同様の効果が得られる。
【０１２６】
次に、本発明の第二の実施形態について説明する。
【０１２７】
本発明の第二の実施形態は、第一の実施形態と比較して、ＳＩＰサーバ２４０と、センタ装置２６０と、が異なっているため、以下これらに関連する事項について説明する。なお、本実施形態における通信装置１１０は、ＲＥＧＩＳＴＥＲメッセージとＭＥＳＳＡＧＥメッセージを周期的にＳＩＰサーバ２４０に送信するものとする。
【０１２８】
図１２は、ＳＩＰサーバ２４０の概略図である。
【０１２９】
ＳＩＰサーバ２４０は、記憶部２４１と、制御部２４５と、ＩＦ部１５０と、を備え、第一の実施形態と比較して、記憶部２４１及び制御部２４５が異なっているため、以下これらに関連する事項について説明する。
【０１３０】
記憶部２４１は、登録情報記憶領域１４２を備え、第一の実施形態と比較して、保守情報記憶領域が設けられていない。
【０１３１】
なお、登録情報記憶領域１４２には、第一の実施形態と同様に、ＳＩＰサーバ１４０でＳＩＰに従った呼制御を行うために必要な情報が格納される。
【０１３２】
制御部２４５は、全体制御部１４６と、ＳＩＰ制御部２４７と、を備え、第一の実施形態と比較して、保守制御部は設けられていない。
【０１３３】
全体制御部１４６は、第一の実施形態と同様に、ＳＩＰサーバ１４０での処理の全体を制御する。
【０１３４】
ＳＩＰ制御部２４７は、ＳＩＰに従った処理を行う。
【０１３５】
なお、本実施形態におけるＳＩＰサーバ２４０は、第一の実施形態とは異なり、通常のＳＩＰに従った処理を行うサーバを用いればよい。
【０１３６】
図１３は、センタ装置２６０の概略図である。
【０１３７】
センタ装置２６０は、記憶部２６１と、制御部２６２と、入力部１６６と、出力部１６７と、ＩＦ部１６８と、を備え、第一の実施形態と比較して、記憶部２６１及び制御部２６２が異なっているため、以下これらに関連する事項について説明する。
【０１３８】
記憶部２６１は、保守情報記憶領域２７０を備える。
【０１３９】
保守情報記憶領域２７０には、事前通知を送信してきた通信装置１１０を特定する情報が格納される。
【０１４０】
例えば、本実施形態においては、図４（保守情報テーブル１４３ａの概略図）に示すような保守情報テーブル１４３ａが保守情報記憶領域１４３に記憶される。
【０１４１】
制御部２６２は、全体制御部１６３と、監視処理部１６４と、ＳＩＰ制御部２６５と、保守制御部２７１と、を備え、第一の実施形態と比較して、ＳＩＰ制御部２６５及び保守制御部２７１が異なっているため、以下これらに関連する事項について説明する。
【０１４２】
ＳＩＰ制御部２６５は、ＳＩＰに従った処理を行う。特に、本実施形態においては、通信装置１１０から事前通知であることを識別する識別情報を有するＭＥＳＳＡＧＥメッセージ若しくはＩＮＶＩＴＥメッセージを受信し、保守制御部１４８に当該ＭＥＳＳＡＧＥメッセージ若しくはＩＮＶＩＴＥメッセージを送信してきた通信装置１１０を識別する識別情報（ここでは、通信装置１１０のＩＰアドレス）と、事前通知を受信したことを示す情報と、を保守制御部２７１に出力する。
【０１４３】
また、ＳＩＰ制御部２６５は、予め定められた期間、通信装置１１０からのＲＥＧＩＳＴＥＲメッセージ（若しくはＭＥＳＳＡＧＥメッセージ）を受信しなかった場合には、当該通信装置１１０を識別する識別情報（ここでは、通信装置１１０のＩＰアドレス）と、ＲＥＧＩＳＴＥＲメッセージ（若しくはＭＥＳＳＡＧＥメッセージ）を受信しなかったことを示す情報と、を保守制御部２７１に出力する。
【０１４４】
さらに、ＳＩＰ制御部１４７は、ＲＥＧＩＳＴＥＲメッセージ（若しくはＭＥＳＳＡＧＥメッセージ）を受信すると、ＲＥＧＩＳＴＥＲメッセージ（若しくはＭＥＳＳＡＧＥメッセージ）を送信してきた通信装置１１０の識別情報と、ＲＥＧＩＳＴＥＲメッセージ（若しくはＭＥＳＳＡＧＥメッセージ）を受信したことを特定する情報と、を保守制御部２７１に通知する。
【０１４５】
保守制御部２７１は、通信装置１１０との間の通信を監視する。
【０１４６】
例えば、保守制御部２７１は、ＳＩＰ制御部２６５より、通信装置１１０を識別する識別情報と、事前通知を受信したことを示す情報と、の入力を受け付けると、当該通信装置１１０の識別情報が、保守情報テーブル１４３ａに登録されているか否かを特定し、登録されていない場合には、当該識別情報を保守情報テーブル１４３ａに登録し、登録されている場合には、当該識別情報を保守情報テーブル１４３ａから削除する。
【０１４７】
また、保守制御部２７１は、ＳＩＰ制御部２６５より、通信装置１１０を識別する識別情報と、ＲＥＧＩＳＴＥＲメッセージ（若しくはＭＥＳＳＡＧＥメッセージ）を受信しなかったことを示す情報と、の入力を受け付けると、当該通信装置１１０の識別情報が、保守情報テーブル１４３ａに登録されているか否かを特定し、登録されていない場合には、当該通信装置１１０を識別するための識別情報と、当該通信装置１１０にエラーが生じたことを示す情報と、を有する通知情報を生成して監視処理部１６４に出力する処理を行い、登録されている場合には、このような通知情報を生成し送信する処理を行わずに、処理を終了する。
【０１４８】
さらに、保守制御部２７１は、ＳＩＰ制御部２６５より、ＲＥＧＩＳＴＥＲメッセージ（若しくはＭＥＳＳＡＧＥメッセージ）を送信してきた通信装置１１０の識別情報と、ＲＥＧＩＳＴＥＲメッセージ（若しくはＭＥＳＳＡＧＥメッセージ）を受信したことを特定する情報と、を受信すると、当該通信装置１１０の識別情報が、保守情報テーブル１４３ａに登録されているか否かを特定し、登録されている場合には、当該識別情報を保守情報テーブル１４３ａから削除する。
【０１４９】
図１４は、第二の実施形態である通信システムにおいて回線断を検知する処理を示すシーケンス図である。
【０１５０】
まず、通信装置１１０のＳＩＰ処理部１１４は、通信装置１１０の位置情報を含むＲＥＧＩＳＴＥＲメッセージを生成し、通信制御部１１３及び第一のＩＦ部１２２を介して、生成したＲＥＧＩＳＴＥＲメッセージをＳＩＰサーバ２４０に送信する（Ｓ８０）。
【０１５１】
このようなＲＥＧＩＳＴＥＲメッセージを受信したＳＩＰサーバ２４０では、ＳＩＰ制御部２４７が、ＲＥＧＩＳＴＥＲメッセージから位置情報を抽出し、登録情報記憶領域１４２に記憶する（Ｓ８１）。
【０１５２】
次に、ＳＩＰ制御部２４７は、ＲＥＧＩＳＴＥＲメッセージの応答メッセージである２００ＯＫメッセージを生成して、ＩＦ部１５０を介して、２００ＯＫメッセージを通信装置１１０に送信する（Ｓ８２）。
【０１５３】
そして、通信装置１１０は、定期的、または、異常を検知した時、人を検知した時等の任意の時に、例えば、カメラ１３２で撮像された映像データ、電話機１３１で取得された音声データ、センサ１３３で取得された検知データを送信するために、ＳＩＰ処理部１１４が、センタ装置１６０への接続要求であるＩＮＶＩＴＥメッセージを生成して、通信制御部１１３及び第一のＩＦ部１２２を介して、生成したＩＮＶＩＴＥメッセージをＳＩＰサーバ２４０に送信する（Ｓ８３）。
【０１５４】
ＩＮＶＩＴＥメッセージを受信したＳＩＰサーバ２４０は、センタ装置２６０の位置情報を登録情報記憶領域１４２から取得し、取得した位置情報で特定されるアドレス（センタ装置２６０のアドレス）にＩＮＶＩＴＥメッセージを転送する（Ｓ８４）。
【０１５５】
そして、ＩＮＶＩＴＥメッセージを受信したセンタ装置２６０では、ＳＩＰ制御部２６５が、１８０ＲＩＮＧＩＮＧの応答メッセージをＳＩＰサーバ２４０に送信し（Ｓ８５）、ＳＩＰサーバ２４０は、通信装置１１０にこの１８０ＲＩＮＧＩＮＧメッセージを転送し呼び出す（Ｓ８６）。
【０１５６】
次に、センタ装置２６０のＳＩＰ制御部２６５は、呼び出しに応答すると、２００ＯＫメッセージをＳＩＰサーバ２４０に送信し（Ｓ８７）、ＳＩＰサーバ２４０は、通信装置１１０にこの２００ＯＫメッセージを転送する（Ｓ８８）。
【０１５７】
２００ＯＫメッセージを受信した通信装置１１０は、ＳＩＰ処理部１１４が、ＡＣＫメッセージを生成し、通信制御部１１３及び第一のＩＦ部１２２を介して、生成したＡＣＫメッセージをＳＩＰサーバ２４０に送信する（Ｓ８９）。
【０１５８】
このようなＡＣＫメッセージを受信したＳＩＰサーバ２４０は、ＳＩＰ制御部２４７が、ＩＦ部１５０を介して、ＡＣＫメッセージをセンタ装置２６０に送信することで（Ｓ９０）、通信装置１１０と、センタ装置２６０と、の間にセッションが確立する。
【０１５９】
そして、通信装置１１０は、確立したセッションを用いて、センタ装置２６０にデータを通信する（Ｓ９１）。
【０１６０】
このようなデータを受信したセンタ装置２６０では、全体制御部１６３が出力部１６７に受信したデータを出力する（Ｓ９２）。
【０１６１】
そして、通信装置１１０は、定期的に、ＭＥＳＳＡＧＥメッセージをＳＩＰサーバ２４０に送信し（Ｓ９３）、このようなＭＥＳＳＡＧＥメッセージを受信したＳＩＰサーバ２４０は、受信したＭＥＳＳＡＧＥメッセージをセンタ装置２６０に転送する（Ｓ９４）。
【０１６２】
このようなＭＥＳＳＡＧＥメッセージを受信したセンタ装置２６０では、保守制御部２７１が保守情報テーブル１４３ａの更新を行い（Ｓ９５）、ＳＩＰ制御部２６５が、応答メッセージである２００ＯＫメッセージを生成して、ＩＦ部１６８を介して、２００ＯＫメッセージをＳＩＰサーバ２４０に送信し（Ｓ９６）、ＳＩＰサーバ２４０は、通信装置１１０に２００ＯＫメッセージを通信装置１１０に転送する（Ｓ９７）。
【０１６３】
ここで、保守情報テーブル１４３ａの更新処理は、具体的には、まず、ＳＩＰ制御部２６５が、ＭＥＳＳＡＧＥメッセージに含まれている送信元である通信装置１１０のアドレス情報を特定して、特定したアドレス情報を保守制御部２７１に通知する。次に、保守制御部２７１が、通知されたＩＰアドレスが保守情報テーブル１４３ａに登録されている場合には、当該ＩＰアドレスを保守情報テーブル１４３ａから削除することにより行う。
【０１６４】
なお、本ステップＳ９５では、通知されたＩＰアドレスが保守情報テーブル１４３ａに登録されていないものとして、次の処理を行う。
【０１６５】
また、通信装置１１０は、定期的に、ＲＥＧＩＳＴＥＲメッセージをＳＩＰサーバ２４０に送信し（Ｓ９８）、このようなＲＥＧＩＳＴＥＲメッセージを受信したＳＩＰサーバ２４０では、ＳＩＰ制御部２４７が登録情報記憶領域142に記憶されている情報を更新し（Ｓ９９）、２００ＯＫメッセージを通信装置１１０に送信する（Ｓ１００）。
【０１６６】
このとき、例えば、第二のルータ１８２が故障して回線が切断された場合には（Ｓ１０１）、通信装置１１０が、定期的に、ＭＥＳＳＡＧＥメッセージやＲＥＧＩＳＴＥＲメッセージをＳＩＰサーバ１４０に送信しても（Ｓ１０２、Ｓ１０３）、ＳＩＰサーバ２４０には、到達しない。
【０１６７】
そして、ＳＩＰサーバ２４０のＳＩＰ制御部２４７は、予め定められた期間、通信装置１１０からのＲＥＧＩＳＴＥＲメッセージを受信しなかった場合には、登録情報記憶領域１４２に記憶されている通信装置１１０に関する登録情報を削除する（Ｓ１０４）。
【０１６８】
また、センタ装置２６０のＳＩＰ制御部２６５では、予め定められた期間、通信装置１１０からのＭＥＳＳＡＧＥメッセージを受信しなかった場合には、回線断と判断して（Ｓ１０５）、ＭＥＳＳＡＧＥメッセージを受信しなかった通信装置１１０を識別する識別情報と、ＭＥＳＳＡＧＥメッセージを受信しなかったことを示す情報と、を保守制御部２７１に出力する。
【０１６９】
これらの情報の入力を受け付けた保守制御部２７１は、この通信装置１１０の識別情報が、保守情報テーブル１４３ａに登録されているか否かを特定し、登録されていない場合には、当該通信装置１１０を識別するための識別情報と、当該通信装置１１０にエラーが生じたことを示す情報と、を有する通知情報を生成し、監視処理部１６４に出力し、監視処理部１６４は、通知情報を予め定められた形式に加工して、出力部１６７に出力する（Ｓ１０６）。
【０１７０】
図１５は、第二の実施形態における通信システムにおいて回線断の検知を回避する処理を示すシーケンス図である。このシーケンスでは、第二のルータ１８２の保守のために、第二のルータ１８２の電源をＯＦＦにする場合を例に説明するが、このような態様に限定されるわけではなく、通信装置１１０とＷＡＮ１９１間に物理的又は論理的に配置される装置（リピータ、ブリッジ、レイヤ２スイッチ、レイヤ３スイッチ、ゲートウェイ等）を交換する場合や、収容する装置の接続変えを行う場合や、電源をＯＦＦする場合などでもよい。
【０１７１】
まず、通信装置１１０のボタン制御部１１６が、ボタン１３０の押圧を検知すると（Ｓ１１０）、ＳＩＰ処理部１１４は、事前通知であることを識別することのできるメッセージ、例えば、本実施形態においては、図９（事前通知を示すＩＮＶＩＴＥメッセージ１９３の概略図）に示すようなＩＮＶＩＴＥメッセージ１９３（若しくは図１０に示すＭＥＳＳＡＧＥメッセージ１９４）を生成して、ＳＩＰサーバ２４０に送信する（Ｓ１１１）。
【０１７２】
そして、ＳＩＰサーバ２４０は、このようなＩＮＶＩＴＥメッセージ１９３をセンタ装置２６０に転送する（Ｓ１１２）。
【０１７３】
このようなＩＮＶＩＴＥメッセージ１９３を受信したセンタ端末２６０では、ＳＩＰ制御部２６５が、ＩＮＶＩＴＥメッセージ１９３に「ｈ＝」の行が設けられており、この行に「Ｎｏｔｉｆｉｃａｔｉｏｎ  ｏｆ  ａｕｄｉｔ！」のテキストデータが記述されているか否かを確認し（Ｓ１１３）、このようなテキストデータが記述されている場合には、保守情報テーブル１４３ａを更新する（Ｓ１１４）。
【０１７４】
ここで、保守情報テーブル１４３ａの更新は、ＩＮＶＩＴＥメッセージ１９３の送信元となっている通信装置１１０のＩＰアドレスを特定して、当該ＩＰアドレスが保守情報テーブル１４３ａに登録されていない場合には、当該ＩＰアドレスを保守情報テーブル１４３ａに登録し、登録されている場合には、当該ＩＰアドレスを保守情報テーブル１４３ａから削除することで行う。今回の場合は、通信装置１１０とＳＩＰサーバ１４０間での回線の断線監視にかかる説明であるので、事前通知を受信したＳＩＰサ−バ１４０は、通信装置１１０との間の回線断の監視を行わない動作状態となる。
【０１７５】
そして、ＳＩＰ制御部２６５は、応答メッセージである２００ＯＫメッセージを生成して、ＩＦ部１６８を介して、２００ＯＫメッセージをＳＩＰサーバ２４０に送信し（Ｓ１１５）、ＳＩＰサーバ２４０は、２００ＯＫメッセージを通信装置１１０に転送する（Ｓ１１６）。
【０１７６】
このような事前通知を行った後で、通信システム１００の管理者等が、第二のルータ１８２の保守のために、第二のルータ１８２の電源をＯＦＦすると（Ｓ１１７）、通信装置１１０が、定期的に、ＭＥＳＳＡＧＥメッセージやＲＥＧＩＳＴＥＲメッセージをＳＩＰサーバ２４０に送信しても（Ｓ１１８、Ｓ１１９、Ｓ１２０）、このようなＲＥＧＩＳＴＥＲメッセージはＳＩＰサーバ２４０に到達しない。
【０１７７】
そして、ＳＩＰサーバ２４０のＳＩＰ制御部２４７は、予め定められた期間、通信装置１１０からのＲＥＧＩＳＴＥＲメッセージを受信しなかった場合には、登録情報記憶領域１４２に記憶されている通信装置１１０に関する登録情報を削除する（Ｓ１２１）。
【０１７８】
また、センタ装置２６０のＳＩＰ制御部２６５では、予め定められた期間、通信装置１１０からのＭＥＳＳＡＧＥメッセージを受信しなかったときには、回線断と判断して（Ｓ１２２）、ＭＥＳＳＡＧＥメッセージを受信しなかった通信装置１１０を識別する識別情報と、ＭＥＳＳＡＧＥメッセージを受信しなかったことを示す情報と、を保守制御部２７１に出力する。
【０１７９】
これらの情報の入力を受け付けた保守制御部２７１は、この通信装置１１０の識別情報が、保守情報テーブル１４３ａに登録されているか否かを特定し、登録されている場合には、図７のステップＳ２９に示すような通知情報を生成せずに処理を終了する（Ｓ１２３）。
【０１８０】
そして、第二のルータ１８２の保守が完了し、電源がＯＮにされた場合には（Ｓ１２４）、通信装置１１０からのＲＥＧＩＳＴＥＲメッセージがＳＩＰサーバ２４０に到達し（Ｓ５１）、ＳＩＰサーバ２４０のＳＩＰ制御部２４７が、ＲＥＧＩＳＴＥＲメッセージに含まれている送信元である通信装置１１０のアドレス情報を特定して、登録情報記憶領域１４２にアドレス情報等の必要な情報を登録して（Ｓ１２６）、２００ＯＫメッセージを通信装置１１０に送信する（Ｓ１２７）。
【０１８１】
また、通信装置１１０が定期的に送信するＭＥＳＳＡＧＥメッセージもＳＩＰサーバ２４０に到達し（Ｓ１２８）、ＳＩＰサーバ２４０は、当該ＭＥＳＳＡＧＥメッセージをセンタ装置２６０に転送する（Ｓ１２９）。
【０１８２】
このようなＭＥＳＳＡＧＥメッセージを受信したセンタ装置２６０では、保守制御部２７１が、ＭＥＳＳＡＧＥメッセージに含まれている送信元である通信装置１１０のアドレス情報を特定して、特定したアドレス情報を保守制御部２７１に通知し、保守制御部２７１が、保守情報テーブル１４３ａの更新を行う（Ｓ１３０）。
【０１８３】
具体的には、ＳＩＰ制御部２７１は、ＭＥＳＳＡＧＥメッセージの送信元である通信装置１１０のＩＰアドレスを特定して、特定したＩＰアドレスを保守制御部２７１に通知する。そして、保守制御部２７１は、通知されたＩＰアドレスが保守情報テーブル１４３ａに登録されている場合には、当該ＩＰアドレスを保守情報テーブル１４３ａから削除することで保守情報テーブル１４３ａの更新を行う。今回の場合は、通信装置１１０とＳＩＰサーバ１４０間での回線の断線監視にかかる説明であるので、ＲＥＧＩＳＴＥＲメッセージＳ５１を受信したＳＩＰサ−バ１４０は、通信装置１１０との間の回線断の監視を再開するようになる。
【０１８４】
そして、センタ装置２６０のＳＩＰ制御部２６５は、２００ＯＫメッセージをＳＩＰサーバ２４０に送信し（Ｓ１３１）、ＳＩＰサーバ２４０は、当該２００ＯＫメッセージを通信装置１１０に転送する（Ｓ１３２）。
【０１８５】
以上のように、本実施形態によれば、センタ装置２６０において保守情報を管理して、ネットワークを意図的に切断する場合に、回線断の警告が出ないようにすることができる。
【０１８６】
なお、以上に記載した実施形態においては、例えば、図１５のステップＳ１１１における事前通知を、ＩＮＶＩＴＥメッセージ１９３を用いて通知しているが、このような態様に限定されず、他のメッセージを使用して通知することも可能である。例えば、図１０に示すＭＥＳＳＡＧＥメッセージ１９４を使用して、事前通知を行うことも可能である。
【図面の簡単な説明】
【０１８７】
【図１】通信システムの概略図。
【図２】通信装置の概略図。
【図３】ＳＩＰサーバの概略図。
【図４】保守情報テーブルの概略図。
【図５】コンピュータの概略図。
【図６】センタ装置の概略図。
【図７】通信システムにおいて回線断を検知する処理を示すシーケンス図。
【図８】通信システムにおいて回線断の検知を回避する処理を示すシーケンス図。
【図９】事前通知を示すＩＮＶＩＴＥメッセージの概略図。
【図１０】事前通知を示すＭＥＳＳＡＧＥメッセージの概略図。
【図１１】通信システムにおいて回線断の検知を回避する処理を示すシーケンス図。
【図１２】ＳＩＰサーバの概略図。
【図１３】センタ装置の概略図。
【図１４】通信システムにおいて回線断を検知する処理を示すシーケンス図。
【図１５】通信システムにおいて回線断の検知を回避する処理を示すシーケンス図。
【符号の説明】
【０１８８】
１００  通信システム
１１０  通信装置
１１１  制御部
１１２  全体制御部
１１３  通信制御部
１１４  ＳＩＰ制御部
１１５  保守制御部
１１６  ボタン制御部
１１７  画像制御部
１１８  音声制御部
１１９  センサ制御部
１２１  記憶部
１４０、２４０  ＳＩＰサーバ
１４１、２４１  記憶部
１４２  登録情報記憶領域
１４３  保守情報記憶領域
１４５、２４５  制御部
１４６  全体制御部
１４７、２４７  ＳＩＰ制御部
１４８  保守制御部
１６０、２６０  センタ装置
１６１、２６１  記憶部
１６２、２６２  制御部
１６３  全体制御部
１６４  監視処理部
１６５、２６５  ＳＩＰ制御部
２７０  保守情報記憶領域
２７１  保守制御部
【図１】
0005053184.tif 000002
【図２】
0005053184.tif 000003
【図３】
0005053184.tif 000004
【図４】
0005053184.tif 000005
【図５】
0005053184.tif 000006
【図６】
0005053184.tif 000007
【図７】
0005053184.tif 000008
【図８】
0005053184.tif 000009
【図９】
0005053184.tif 000010
【図１０】
0005053184.tif 000011
【図１１】
0005053184.tif 000012
【図１２】
0005053184.tif 000013
【図１３】
0005053184.tif 000014
【図１４】
0005053184.tif 000015
【図１５】
0005053184.tif 000016